【手続補正書】
【提出日】平成30年5月25日(2018.5.25)
【手続補正１】
【補正対象書類名】明細書
【補正対象項目名】００１７
【補正方法】変更
【補正の内容】
【００１７】
【図１】例示の実施形態に係る血液透析システムの流体処理構成要素の概略図。
【図２】図１の透析システムの流体流を概略的に示す図。
【図３】図２の実施形態の血流回路に関する流体流を概略的に示す図。
【図４】図２の実施形態の平衡回路に関する流体流を概略的に示す図。
【図５】図２の実施形態の方向付け回路に関する流体流を概略的に示す図。
【図５Ａ】例示の実施形態における排液アセンブリに関する流路を示す概略流体流図。
【図６】図２の実施形態の混合回路に関する流体流の概略図。
【図７】例示の一実施形態の血液透析システムの右前斜視図。
【図７Ａ】例示の実施形態の動力部の選択された構成要素の斜視図。
【図７Ｂ】例示の実施形態の空気除湿器装置の概略図。
【図７Ｃ】図７Ａの実施形態の除湿器構成の斜視図。
【図８】図７の血液透析システムの左後斜視図。
【図９】図７の血液透析システムの前面図。
【図１０】ドアが第１の開放位置にあるときの図７の血液透析システムの右前斜視図。
【図１１】図１０の血液透析システの上面図。
【図１２】図１０の血液透析システムの前面図。
【図１３】図１０の血液透析システムの右側面図。
【図１４】ドアが第２の開放位置にあるときの図７の血液透析システムの右前斜視図。
【図１５】図１４の血液透析システムの上面図。
【図１６】図１４の血液透析システムの前面図。
【図１７】ドアがシステムのフロントパネルを露出させる開放位置にあるときの図７の血液透析システムの前面図。
【図１７Ａ】例示の実施形態の血液ポンプアセンブリとインタフェース接続するように構成された制御ポートアセンブリ展開斜視図。
【図１７Ｂ】血液ポンプアセンブリが係合している図１７Ａの実施形態の側断面図。
【図１７Ｃ】例示の実施形態の一対の血液ポンプカセットラッチおよび取出しアセンブリを備えた制御ポートアセンブリの斜視図。
【図１７Ｄ】例示の実施形態のエジェクタ要素が後退位置に存在するラッチアセンブリの単独図。
【図１７Ｅ】例示の実施形態のエジェクタ要素が伸長位置に存在する図１７Ｄのラッチアセンブリの単独図。
【図１７Ｆ】例示の実施形態の透析ユニットのパネル上において保持状態にある血液ポンプカセットの前面図。
【図１７Ｇ】図１７Ｆの線１７Ｇ−１７Ｇに沿った断面図。
【図１７Ｈ】図１７Ｆの線１７Ｈ−１７Ｈに沿った断面図。
【図１７Ｉ】例示の実施形態において取出し状態にある血液ポンプカセットの前面図。
【図１７Ｊ】図１７Ｉの線１７Ｊ−１７Ｊに沿った断面図。
【図１７Ｋ】図１７Ｉの線１７Ｋ−１７Ｋに沿った断面図。
【図１８】図７のシステムで使用される血液回路アセンブリの前面図。
【図１８Ａ】例示の実施形態における薬剤ホルダを有する血液ポンプの斜視図。
【図１９】図１８の血液回路アセンブリ用の編成トレイの右斜視図。
【図２０】図１８の血液回路アセンブリの左後斜視図。
【図２０Ａ】血液ポンプカセットの別の実施形態の前面展開図。
【図２０Ｂ】図２０Ａの血液ポンプカセットの背面展開図。
【図２０Ｃ】図２０Ａの血液ポンプカセットの下部プレートまたは後部プレートの前面図。
【図２０Ｄ】図２０Ａの血液ポンプカセットの下部プレートまたは後部プレートの背面図。
【図２１】図７のシステムのフロントパネルの左前斜視図。
【図２１Ａ】例示の実施形態におけるフロントパネルアセンブリの別の実施形態の前面図。
【図２１Ｂ】例示の実施形態における明確にするために血液ポンプカセットの上部および中央プレート構成要素が取り除かれている図２１Ａのフロントパネルアセンブリを示す図。
【図２２】図７のシステムにおけるフロントパネルの前面図。
【図２３】透析器用の一対の搭載機能を有する図７のシステムのフロントパネルの前面図。
【図２４】透析器の透析液入口／出口ポートに装着される迅速接続継手を備えた透析器の側面図。
【図２５】図７のシステムと共に使用される試薬供給源の右斜視図。
【図２６】図２５の試薬供給源用のＥ字叉コネクタと血液透析システムのフロントパネル上の対応する接続点とを示す斜視図。
【図２７】血液回路アセンブリ用の一対の血液ラインコネクタと血液透析システムのフロントパネル上の対応する接続点とを示す斜視図。
【図２８】図２７の血液ラインコネクタと接続点とを示す側面図。
【図２９】別の実施形態の血液回路アセンブリの斜視図。
【図３０】図２９の血液回路アセンブリの一部の近接図。
【図３１】例示の実施形態における例示的なモジュール式排液カセット。
【図３２】例示の実施形態における飾り板が排液カセットの前壁の前方に配置されている、図３１における排液カセットを示す展開図。
【図３３】例示の実施形態における図３１の排液カセットの前壁の斜視図。
【図３４】例示の実施形態における明確にするために前壁が取り除かれている図３１の排液カセットの主ハウジングを示す図。
【図３５】例示の実施形態における図３１の排液カセットの後斜視図。
【図３６】例示の実施形態における排液カセットが取り外されているフロントパネルを示す図。
【図３７】例示の実施形態における伝導度回路の概略図。
【図３８】図３７の回路によって処理される電気波形の図。
【図３９】回路の未知抵抗／基準抵抗の比に対してプロットされた図３７の回路のノイズ／誤差感度の代表的なグラフ。
【図４０】血液透析システムの例示的な血流回路の概略図。
【図４１Ａ】図４０の血流回路において使用することができるコネクタの側面図。
【図４１Ｂ】図４１Ａのコネクタの断面図。
【図４２】ワイヤおよび可撓管が取り付けられている図４１Ａおよび図４１Ｂのコネクタの断面図。
【図４３Ａ】図４０の血流回路において使用することができる別の実施形態のコネクタの斜視図。
【図４３Ｂ】図４３Ａのコネクタの上面図。
【図４３Ｃ】図４３Ｂのコネクタの断面図。
【図４４Ａ】導電ワイヤを組み込んでいる可撓チューブの断面図。
【図４４Ｂ】導電ワイヤを組み込んでいる可撓チューブの断面図。
【図４４Ｃ】導電ワイヤを組み込んでいる可撓チューブの断面図。
【図４４Ｄ】導電ワイヤを組み込んでいる可撓チューブの断面図。
【図４５】流体搬送内腔およびワイヤ搬送内腔を有する可撓二重内腔チューブの斜視図。
【図４６】ワイヤおよび配管が取り付けられている図４３Ａ〜図４３Ｃのコネクタに類似するコネクタの断面図。
【図４７】代表的な血液透析システムにおいて使用される体外血流回路の平面図。
【図４８】図４７の体外血流回路を受け入れ動作させるように構成された血液透析装置の斜視図。
【図４９】さまざまな条件下において図３７の伝導度回路によって測定された抵抗の代表的なプロット。
【図５０】本開示の実施形態による正面角度からの閉鎖アセンブリの展開斜視図。
【図５１】背面角度からの図５０の閉鎖アセンブリの展開斜視図。
【図５２】チューブの装填を示すようにドアが開放されボタンが押されている、図５０の閉鎖アセンブリの前斜視図。
【図５３】ドアが閉じられているときにスイッチに係合しているドアを示す、図５０の閉鎖アセンブリの近接斜視図。
【図５４】可撓チューブを完全に閉鎖しているアームを示すためにドアおよび枠の存在しない図５０の閉鎖アセンブリの前面。
【図５５】非閉鎖位置にあるアームを示すようにドアおよび枠の存在しない図５０の閉鎖アセンブリの前面を示す図。
【図５６】アクチュエータアームが完全に後退した位置にある図５０の閉鎖アセンブリの後／上斜視図。
【図５７】アクチュエータアームが完全に伸長した位置にある図５０の閉鎖アセンブリの後斜視図。
【図５８】非閉鎖状態にある図５０の閉鎖アセンブリのいくつかの作動部品の側面斜視図。
【図５９】閉鎖状態にある図５０の閉鎖アセンブリのいくつかの作動部品の側面斜視図。
【図６０】アセンブリ用の主バネに関する位置を示す、図５０の閉鎖アセンブリのアクチュエータの側断面図。
【図６１】本開示の実施形態による血液透析装置のフロントパネルアセンブリに搭載された図５０の閉鎖アセンブリを示す図。
【図６２】アクセス切断センサシステムからの未処理の信号および処理された信号、および非脱落事象についての圧送圧力を示す。
【図６３】アクセス切断センサシステムからの未処理の信号および処理された信号、およびアクセス切断事象についての圧送圧力を示す。
【図６４】アクセス切断センサシステムからの未処理の信号および処理された信号、圧送圧力、およびアクセス切断事象のためのＡＤＳ信号試験を示す。
【図６５】アクセス切断センサシステムからの未処理の信号および処理された信号、圧送圧力、およびアクセス切断事象のためのＡＤＳ信号試験を示し、図６２〜６４において示されるものよりもより長い半サイクルの持続時間を有している。
【手続補正２】
【補正対象書類名】明細書
【補正対象項目名】０１３５
【補正方法】変更
【補正の内容】
【０１３５】
Ｓρ＝（１／ρ）・∂Δρ／∂Δα＝２／［（１＋Δα）（１−Δα）］＝２／［１−（Δα）２］
Ｒｙ＝Ｒｒｅｆであるとき、ρ＝１、Δα＝０およびＳρ＝２である。よって、この点の周囲の０．００１（ＡＤＣフルスケールの０．１％）のΔαの変化の場合、計算された抵抗Ｒｙは０．００２すなわち０．２％変化する。表１に示すように、ρが１から発散するに従って感度は増大する。
【手続補正３】
【補正対象書類名】明細書
【補正対象項目名】０２０８
【補正方法】変更
【補正の内容】
【０２０８】
対照的に、図６５にプロットされた測定された抵抗は、高い半サイクル（図３８）の持続時間が、図４９、６２〜６４にプロットされた実験における半サイクルよりも１６倍長い実験からのものである。図６５にプロットされた実験では、半サイクルの持続時間は約４分の１ミリ秒である。周波数に関して、バイナリ制御信号１３１、１４４は、図６５にプロットされた試験のアクティブフェーズの間、２１７４Ｈｚの周波数で交互に現れる。